(57)【要約】【課題】１枚の紙素材を複数の折線上で折り返し複数片よりなる収納体を構成するディスク状記録媒体パッケージであって、一片にＣＤの表示面を露出する窓部を有し収納体の挿入口からＣＤを挿脱自在とする。【解決手段】１枚の紙素材に形成される複数片は、ＣＤの背面に対向するＣＤ背面片１１と、折り返されＣＤ背面片に重ね合わされＣＤを載置するＣＤ載置片１２と、ＣＤ載置片に載置されたＣＤの表示面を露出する窓部１７とＣＤの切り欠き挿入口２０を有し折線を折り返しＣＤ載置片に重ね合わされる枠体片１３と、枠体片の窓部に露出されるＣＤの表示面を覆うよう折り返し枠体片１３に重ね合わされるＣＤ上面片１４とで一体に形成される。【選択図】        図１
2004262468.tif 000002
【特許請求の範囲】
【請求項１】
１枚の紙素材から型抜きされ、複数の折線を折り返し形成される複数片よりなる収納体を構成し、一片にＣＤの表示面を露出する窓部を有してＣＤを挿脱自在に収納するディスク状記録媒体用パッケージであって、
上記複数片は、ＣＤの背面に対向するＣＤ背面片と、折線を折り返し上記ＣＤ背面片に重ね合わされＣＤを載置するＣＤ載置片と、上記ＣＤ載置片に載置されたＣＤの表示面を露出する窓部とＣＤの切り欠き挿入口を有し折線を折り返し上記ＣＤ載置片に重ね合わされる枠体片と、上記枠体片の窓部に露出されるＣＤの表示面を覆うよう折線を折り返し上記枠体片に重ね合わされるＣＤ上面片とが一体に形成されていることを特徴とするディスク状記録媒体用パッケージ。
【請求項２】
上記ＣＤ上面片は、折線を折り返し上記ＣＤ上面片の面上にポケット部を形成するポケット片を更に有することを特徴とする請求項１記載のディスク状記録媒体用パッケージ。
【請求項３】
上記ＣＤ上面片は、両サイドにのりしろを有しこれらのりしろに上記ポケット片を貼着してポケット部を形成することを特徴とする請求項２記載のディスク状記録媒体用パッケージ。
【請求項４】
上記枠体片は、両サイドにのりしろを有し上記ＣＤ背面片の裏面に上記のりしろを貼着して上記切り欠き挿入口からＣＤが挿入されたときＣＤの表示面が上記窓部に露出されるように収納される収納部を形成することを特徴とする請求項１記載のディスク状記録媒体用パッケージ。
【請求項５】
上記ＣＤの切り欠き挿入口の下地となる上記ＣＤ載置片は、露出している部分から段差なくＣＤを挿脱させることができることを特徴とする請求項１記載のディスク状記録媒体用パッケージ。
【発明の詳細な説明】
【０００１】
【発明の属する技術分野】
本発明は、ＣＤを挿脱自在に収納可能なディスク状記録媒体用パッケージに係り、特に、リサイクル可能な１枚の紙素材からなり複数の折線を夫々折り返し、複数片よりなる収納体を構成するようにしたディスク状記録媒体用パッケージに関する。
【０００２】
【従来の技術】
従来、ＣＤの包装体としてＣＤを挿入する封筒の前面側にＣＤの表示面を透視する窓部を設けたＣＤレーベル用窓付封筒が知られている（例えば特許文献１参照。）。
このＣＤレーベル用窓付封筒は、封筒本体をリサイクル可能な紙素材にて形成するとともに、ＣＤ表示面を透視する窓部を封筒本体の前面側に開口した丸窓とし、リサイクル可能な紙素材からなるセロファン等の透明又は半透明の合成樹脂シート（フィルム）が貼着されている。
又、三つ折りにした台紙の左右いずれかの一方の片に半円弧の切り込みを設け、この片を折り込んで中央片に重ね周縁を貼着し、この切り込みにＣＤを差込んで保持し、左右のいずれかの他方の片をＣＤの表示面に重ねてＣＤを包装するものが知られている。
【０００３】
【特許文献１】
特開２００２−２９５８８号公報（図１、図２）
【０００４】
【発明が解決しようとする課題】
しかしながら、特許文献１に記載のＣＤレーベル用窓付封筒は、封筒本体とフィルムとで別の紙素材を使うこととなり２種の紙素材を用意しなければならず煩雑であると共にフィルムを封筒本体に貼着することで貼着部分を２重構造としなければならないという問題があった。
【０００５】
また、三つ折りにした台紙の左右いずれかの一方の片に半円弧の切り込みを設け、この切り込みにＣＤを差込んで保持し、左右のいずれかの他方の片をＣＤの表示面に重ねてＣＤを包装する従来のものでは、ＣＤを半円弧の切り込みに差し込むとＣＤの表示面が略半分隠れて見えなくなるという問題があった。
【０００６】
更に、半円弧の切込みを設けた台紙の１片は、切込みによって生じた切込み片をつまみ持ち上げる際に、この台紙の１片が重なる下地となっている台紙の中央片の表面に切込み片の厚さ分だけ段差が生じてしまい、この段差がＣＤを半円弧の切込みに出し入れする際に段差の角縁でＣＤの記録面を擦り傷つけるおそれがあった。
【０００７】
本発明は、上記の従来技術の問題点を解決するためになされたものであり、リサイクル可能な１枚の紙素材からなり、複数の折線を折り返し複数片よりなる収納体を構成し、一片にＣＤの表示面を露出する窓部を有してＣＤを挿脱自在に収納するディスク状記録媒体パッケージを提供することを目的としている。
【０００８】
【課題を解決するための手段】
上述したような課題を解決し、上記目的を達成するため、本出願の請求項１記載のディスク状記録媒体パッケージは、１枚の紙素材から型抜きされ、複数の折線を折り返し形成される複数片よりなる収納体を構成し、一片にＣＤの表示面を露出する窓部を有してＣＤを挿脱自在に収納するディスク状記録媒体用パッケージであって、複数片は、ＣＤの背面に対向するＣＤ背面片と、折線を折り返しＣＤ背面片に重ね合わされＣＤを載置するＣＤ載置片と、ＣＤ載置片に載置されたＣＤの表示面を露出する窓部とＣＤの切り欠き挿入口を有し折線を折り返しＣＤ載置片に重ね合わされる枠体片と、枠体片の窓部に露出されるＣＤの表示面を覆うよう折線を折り返し枠体片に重ね合わされるＣＤ上面片とが一体に形成されていることを特徴としている。
【０００９】
上述のように構成したことにより、本出願の請求項１記載のディスク状記録媒体用パッケージによれば、１枚の紙素材を型抜きし複数の折線を折り返し複数片よりなる収納体を構成し、一片にＣＤの表示面を露出する略円形の窓部を有してＣＤを挿脱自在に収納できるので窓部にはＣＤの前表面全体が隠れることなく確実に表示内容を読み取ることができる。
【００１０】
また、窓部は、フィルムで覆うことがなく開放されていてＣＤの包装体としては１枚の型抜きされた紙素材で構成できるので製造工程が少なくて済み、製造コストも安くなる。
【００１１】
更に、枠体片を折り返しＣＤ載置片に重ね合わせた後、枠体片の両サイドに形成されているのりしろ部分をＣＤ背面片の裏面に貼着することでＣＤの挿入口を形成し、このＣＤ挿入口から段差のないＣＤ載置片の表面上にＣＤの記録面を傷つけることなくＣＤを出し入れできる。同時にＣＤが挿入されたときＣＤの表示面が窓部に直接露出されるので表示面に記載されている表示事項全体を容易に読み取ることができる。
【００１２】
本出願の請求項２記載のディスク状記録媒体用パッケージは、ＣＤ上面片が折線を折り返しＣＤ上面片の面上にポケット部を形成するポケット片を更に有することを特徴としている。
【００１３】
本出願の請求項３記載のディスク状記録媒体用パッケージは、ＣＤ上面片が両サイドにのりしろを有し、これらのりしろにポケット片を貼着してポケット部を形成することを特徴としている。
【００１４】
本出願の請求項２又は請求項３記載のディスク状記録媒体用パッケージによれば、ＣＤ上面片の両サイドにのりしろを有し、これらのりしろにポケット片を貼着してポケット部を形成することを特徴としている。
【００１５】
本出願の請求項４記載のディスク状記録媒体用パッケージは、枠体片の両サイドにのりしろを有し、ＣＤ背面片の裏面にのりしろを貼着して切り欠き挿入口からＣＤが挿入されたときＣＤの表示面が窓部に露出されるように収納される収納部を形成することを特徴としている。
【００１６】
本出願の請求項４記載のディスク状記録媒体用パッケージによれば、ＣＤ載置片とこのＣＤ載置片に重ね合わされた枠体片との間に形成されたＣＤ収納部分にＣＤが収納されたとき枠体片の窓部にＣＤの表示面の全体が露出され、表示内容を確実に読み取ることができる。
【００１７】
本出願の請求項５記載のディスク状記録媒体用パッケージは、ＣＤの切り欠き挿入口の下地となるＣＤ載置片が露出している部分から段差なくＣＤを挿脱させることができることを特徴としている。
【００１８】
本出願の請求項５記載のディスク状記録媒体用パッケージによれば、ＣＤ載置片を折り返しＣＤ背面片に重ね合わせる構成としたことで、ＣＤ載置片に段差を生じることなく、枠体片を折り返し構成したときのＣＤの切り欠き挿入口からＣＤ載置片の表面に接しながらＣＤを出し入れすることができるのでＣＤの記録面を傷付けることなく収納部への収納動作を行うことが可能である。
【００１９】
【発明の実施の形態】
以下、本発明の実施の形態を添付図面を参照して説明する。図１は、本発明の一実施の形態を示すディスク状記録媒体用パッケージの展開図、図２は、図１に示す本発明のディスク状記録媒体用パッケージの複数の構成片を折線に沿って折り返す過程を示す斜視図、図３は組立て構成された収納部にＣＤを挿入した状態を示すパッケージの平面図である。
【００２０】
図１は、本発明の一実施の形態を示すディスク状記録媒体用パッケージの展開図を示し、リサイクル可能な１枚の紙素材から型抜きをして形成される。型抜きされた紙素材１０は複数の構成片よりなり、これら構成片を折り曲げ組み立ててＣＤ収納体を構成する。
【００２１】
複数の構成片からなるＣＤ収納体は、挿入されるＣＤの背面に対向するＣＤ背面片１１に対して折線３０で折り返してＣＤ背面片１１に重なるＣＤ載置片１２と、折線３１で折り返してＣＤ載置片１２に重なる枠体片１３と、折線３２で折り返して載置されたＣＤの上面に対向するＣＤ上面片１４と、折線３３で折り返してＣＤ上面片１４に重なりポケット部を形成するポケット片１５とから構成される。
【００２２】
ＣＤ載置片１２は、先端の一角であってＣＤ背面片１１に重なった時ＣＤの挿入口の下地となり露出される円弧部分１６が形成される。
【００２３】
枠体片１３は、略中央を型抜きして挿入されたＣＤの表示面を露出する略円形の窓部１７が形成される。枠体片１３の幅方向の両サイドにはのりしろ１８，１９が形成され残りのサイドは切り欠き部２０が形成される。枠体片１３がＣＤ載置片１２に重なると切り欠き部２０は、その下地となるＣＤ載置片１２の円弧部分１６が露出されてＣＤ挿入口となり、このＣＤ載置片１２の露出部分にＣＤの先端を当てながら挿入すれば滑らかに挿入され、収納された後に取り出す際にも途中に段差がないので滑らかに支障なくＣＤを取り出すことができる。
【００２４】
窓部１７は略円形に形成され、挿入されたＣＤがＣＤ載置片１２上に置かれたときＣＤの表面に記載された表示内容は全面を目視でき確実に読み取ることができる。
【００２５】
のりしろ１８，１９は、ＣＤ載置片１２上に枠体片１３を重ね合わせた後、折線３４，３５を夫々折り返してＣＤ背面片１１の裏面に貼着する。
【００２６】
ＣＤ上面片１４の幅方向の両サイドに部分的にのりしろ２１，２２を形成し折線３６，３７で折り返した後そののりしろの背面にポケット片１５を貼着する。ポケット片１５は、ポケット口となる辺を緩やかな湾曲形状２３に形成にする。ポケット形成後ポケット口から２個目のＣＤ又は仕様書など任意の書類を収納できる。
【００２７】
次に、図２を参照して、図１に示す本発明のディスク状記録媒体用パッケージの複数の構成片を折線に沿って折り返す過程を示す斜視図について説明する。
【００２８】
図２は、ＣＤ載置片１２が折線３０を折りＣＤ背面片１１に重ね合わされる途中の状態を示している。
また、先にＣＤ背面片１１に重ね合わされたＣＤ載置片１２の表面との間にＣＤ収納空間が生じるように重ねＣＤの収納部分を形成するための枠体片１３が折線３１に沿って折り返される過程が示されている。
【００２９】
上述したようにＣＤの収納部分が形成され、枠体片１３の切り欠き部２０を有するＣＤ挿入口からＣＤが挿入され、ＣＤの表面の表示内容が
枠体片１３の窓部１７に露出するまで挿入され納まると枠体片１３の窓部１７をＣＤ上面片１４で覆うように折線３２を折る過程が図示されている。
【００３０】
ポケット片１５は折線３３で折り返されＣＤ上面片１４に重なりポケット部を形成する途中の形態が図示されている。
【００３１】
次に、図３を参照してＣＤが収納部分に納められた状態を説明する。
枠体片１３がＣＤ載置片１２に重ね合わされ、のりしろ１８，１９を折り返しＣＤ背面片１１に貼着し、ＣＤ載置片１２と枠体片１３との間の空間にＣＤ４０が収納される収納体を構成する。
このとき、枠体片１３の切り欠き部２０は、その下地にＣＤ載置片１２の円弧部分１６の表面の一部が露出されたＣＤ挿入口となる。
【００３２】
また、ＣＤ４０が収納された状態では、枠体片１３の窓部１７にＣＤ４０の表面が開示されることになりＣＤ４０の表面の全面に記載されている文字や模様などを一見することができる。
【００３３】
ＣＤ上面片１４ののりしろ２０，２１を折り返しその背面にポケット片１５を貼着する。ポケット片１５は、ポケット口となる辺を緩やかな湾曲形状２３に形成してある。ポケット形成後ポケット口から２個目のＣＤ又は仕様書など任意の書類を収納できる。
【００３４】
【発明の効果】
以上説明したように、本出願のディスク状記録媒体用パッケージによれば、リサイクル可能な１枚の紙素材を複数の折線を折り返し複数片よりなる収納体を構成し、一片にＣＤの表示面を露出する略円形の窓部を有してＣＤを挿脱自在に収納できるので窓部にはＣＤの前表面全体が隠れることなく確実に表示内容を読み取ることができる。
また、窓部は、フィルムで覆うことがなく開放されていてＣＤの包装体としては１種のリサイクル可能な１枚の紙素材で構成できるので製造工程が少なくて済み、製造コストも安くなる。
更に、枠体片を折り返しＣＤ載置片に重ね合わせた後、枠体片の両サイドに形成されているのりしろ部分をＣＤ背面片の裏面に貼着することでＣＤの挿入口を形成し、このＣＤ挿入口から段差のないＣＤ載置片の表面上に接しＣＤの記録面を傷つけることなくＣＤを出し入れできる。同時にＣＤが挿入されたときＣＤの表示面が窓部に直接露出されるので表示面に記載されている表示事項全体を容易に読み取ることができる。
【図面の簡単な説明】
【図１】本発明の一実施の形態を示すディスク状記録媒体用パッケージの展開図である。
【図２】図１に示すディスク状記録媒体用パッケージの複数の構成片を折線に沿って折り返す過程を示す斜視図である。
【図３】図３は組立て構成された収納部にＣＤを挿入した状態を示すパッケージの平面図である。
【符号の説明】
１０  紙素材、    １１  ＣＤ背面片、  １２  ＣＤ載置片、  １３  枠体片、    １４  ＣＤ上面片、  １５  ポケット片、  １６  ＣＤ載置片の円弧部分、  １７  窓部、  １８，１９，２１，２２  のりしろ、  ２０  切り欠き部、    ３０，３１，３２，３３，３４，３５，３６，３７    折線、  ４０  ＣＤ
【図１】
2004262468.tif 000003
【図２】
2004262468.tif 000004
【図３】
2004262468.tif 000005